(57)【要約】  一時的に患者の病室の外側に配置され得る携帯型ユニットを備えるシステムである。このシステムは、プロセッサと、メモリと、スピーカまたは音声発生器と、（Ａ）例えば、“手を洗う”、“ガウンを着用する”、“手袋を着用する”、“マスクを着用する”、“ガウンを処分する”、“手の殺菌剤を使用する”、“防護服を脱いだ後に水と石鹸で手を洗う”及びこれらの組み合わせからなる、プログラムされた模擬音声警告に対応する疾患若しくは病状、または（Ｂ）１以上のプログラムされた模擬音声警告を、認定ユーザに選択させるプログラムと、模擬音声警告が作動するようにプログラムされた入室検出器とを備え、入室が検出されたときに、模擬音声報告の１つ又は組み合わせが発せられるように構成されている。【選択図】  図１
2013541782.tif 000002
【特許請求の範囲】
【請求項１】
プロセッサと、メモリと、スピーカまたは音声発生器と、（Ａ）プログラムされた模擬音声警告に対応する疾患、病状若しくは隔離タイプ、または（Ｂ）１つ以上のプログラムされた音声警告を、認定ユーザに選択させるように機能するプログラミング命令セットと、模擬音声警告が作動するようにプログラムされた入室検出器とを備えたシステムであって、
入室が検出されたときに、（Ａ）選択された疾患、病状若しくは隔離タイプに対応する１つ以上の模擬音声警告、または（Ｂ）１つ以上の選択された音声警告の何れか、またはそれらの組み合わせを発生するように構成されている、
ことを特徴とするシステム。
【請求項２】
前記音声警告は、“手を洗う”、“ガウンを着用する”、“手袋を着用する”、“マスクを着用する”、“ガウンを処理する”、“防護服を脱いだ後に水と石鹸で手を洗う”及びこれらの組み合わせから選択される、請求項１に記載のシステム。
【請求項３】
病室の外のドア枠、ドア、病室の入口の壁または前記入口付近に一時的に配置することができる携帯型ユニットを含む、請求項１に記載のシステム。
【請求項４】
パスワードを求め、複数の選択可能な病状を表示し、作動完了を提示するタッチパッド及びプログラムを含む、請求項１に記載のシステム。
【請求項５】
視覚的な警告を含む、請求項１に記載のシステム。
【請求項６】
人が病室に入るときを見つけるための動作検出モジュールを含む、請求項１に記載のシステム。
【請求項７】
模擬音声アナウンスのための１つ以上の言語を選択する手段を含む、請求項１に記載のシステム。
【請求項８】
面会者や医療スタッフに対して病室の患者の状態を警告する方法であって、
前記病室の外側に請求項１のユニットを配置するステップと、
人間が前記病室に入るのを検出したときに、前記音声警告の一つまたは組み合わせが前記音声発生器またはスピーカから発せられるように、前記患者の病状を選択するステップとを含む、
方法。
【発明の詳細な説明】
【技術分野】
【０００１】
本発明は、医療機器の分野に関し、より具体的には接触隔離と感染症警報システムの分野に関する。
【背景技術】
【０００２】
９０，０００人以上のアメリカ人が毎年、病院などの施設において頻繁に、“スーパーバグ”と呼ばれる薬剤耐性ブドウ球菌、メチシリン耐性黄色ブドウ球菌（ＭＲＳＡ）により、生命を脅かす程の侵襲性の感染症にかかっている。これらの感染症は、血流に達し、または肉体を破壊することで、致命的となる。ＭＲＳＡ関連での入院は、報道によると、３年間で１１９％ほど増加している。死亡者数は、月当たり平均で１，０００である。下痢、大腸炎、中毒性巨大結腸、および結腸穿孔を引き起こす、接触伝染性の高い細菌であるクロストリジウムディフィシル（Ｃ．ｄｉｆｆ）は、物体や表面の糞便汚染を介して、病院施設で広がり得る。これによる死亡率は、近年劇的に増加している。これら又は他の生物が高耐性の抗生物質に変異するという事実は、これらの根絶を困難とするものである。従って、主たる新たな取り組みは、それらの拡散防止を優先としている。予防の柱としては、衛生と接触隔離である。
【０００３】
他の感染性病原体は、空気中または液滴の媒介生物を介して伝染する。それらの拡散を防止するために具体的な戦略が用いられる。時には、病院では免疫不全患者のために保護隔離を整えなければならない。
【０００４】
入院患者の部屋は、一般的に面会者、医療スタッフ、医療従事スタッフ及び病院従業員に開放されているが、医学的感染をした患者が病室を占有する場合、患者から、あるいは患者への病気の感染を防ぐために、患者の状態に依存する特定の手順に従う特別な注意を払わなければならない。
【０００５】
隔離状態の個人患者に関して得ておかなければならない注意を、面会者とスタッフに警告することが、病院にとっては問題となっている。病院は、受動的なサインや多目的に使用される他のデバイスを含む非常に忙しい場所であるという事実があるため、手書きあるいは印刷された標識が無視されたり、誤って見落とされたりすることは珍しくない。更に、ドアや出入り口がそれらの間の小さなスペースで隣接している場合、標識の配置が曖昧となり得る。
【０００６】
この問題に対する、より優れた、更に機能的な、そして安価な解決策が必要とされている。本発明の目的は、この問題に対応する装置及び方法を提供することにある。
【発明の概要】
【０００７】
この目的、および以下の開示および添付の図面から明らかになるその他の目的は、本発明により達成される。本発明は、一態様においては、プロセッサと、メモリと、スピーカまたは音声発生器と、（Ａ）プログラムされた模擬音声警告に対応する疾患、病状若しくは隔離タイプ、または（Ｂ）１つ以上のプログラムされた音声警告を、認定ユーザに選択させるように機能するプログラミング命令セットと、模擬音声警告が作動するようにプログラムされた入室検出器とを備えたシステムであって、入室が検出されたときに（Ａ）選択された疾患、病状若しくは隔離タイプに対応する１つ以上の模擬音声警告、または（Ｂ）１つ以上の選択された音声警告の何れか、またはそれらの組み合わせを発生するシステムである。
【０００８】
音声警告の例としては、“手を洗う”、“ガウンを着用する”、“手袋を着用する”、“マスクを着用する”、“ガウンを処理する”、“手の殺菌剤を使用する”、“防護服を脱いだ後に水と石鹸で手を洗う”及びこれらの組み合わせである。システム内でプログラム可能な追加の音声警告の例は、後述する表1に記載されている。
【０００９】
他の側面において、本発明は、面会者や医療スタッフに対して病室の患者の状態を警告する方法を含む。この方法は、病室の外側に上記のシステムを配置するステップと、病人の疾患、病状、隔離のタイプまたは１以上の特定の音声警告を選択するステップとを含む。システムは、人が患者の部屋に入るのを検出したとき、音声警告の一つまたは組み合わせが音声発生器やスピーカによって発せられるようにプログラムされている。音声発生器やスピーカによって発せられた特定の音声警告は、患者の特定の疾患、病状若しくは隔離のタイプが選択された場合に発生するようにプログラムされているもの、または例えば看護師等の認定ユーザによって直接選択され得る複数の音声オプションのうち１つ以上のものである。
【００１０】
システムは、病室の外、例えばドア、ドア枠または病室の入口付近の壁に一時的に配置可能な携帯型ユニットを含み得る。
【００１１】
本発明では、感染性の病状、または免疫うつ病状の患者がいる病室への面会者は、音声警告を発した警告システムにより警告を受けた場合、特にその音声警告が選択可能にプログラムされたセットからなる場合には、適切な予防措置をせずに無意識のうちに部屋に入ることがほとんどないことから、既存のシステムよりも改善されている。パイロットが非常に忙しく、病院のスタッフのように急いでいる場合には、他のタイプのアラームより容易に女性の声の警告に気づくということが発見されたため、最新式の航空機のコックピットシステムには、重要なイベントのため、音声警告、特に女性の声を模擬した音声警告が近年含まれている。
【００１２】
本発明の他の目的、特徴および利点と同様に上述した説明は、以下の詳細な説明及び図面を参照することにより、十分に理解される。
【図面の簡単な説明】
【００１３】
【図１】図１は、ウェルカムメッセージと、スピーカと、タッチスクリーンとを示す、本発明の一実施形態の装置の正面斜視図である。
【図２】図２は、注意タイプの選択可能なリストを表示するタッチスクリーンと、スピーカとを示す、本発明の一実施形態の装置の正面斜視図である。
【図３】図３は、病状の選択可能なリストを表示するタッチスクリーンと、スピーカとを示す、本発明の一実施形態の装置の正面斜視図である。
【図４】図４は、音声警告の選択可能なリストを表示するタッチスクリーンと、スピーカとを示す、本発明の一実施形態の装置の正面斜視図である。
【発明を実施するための形態】
【００１４】
図１を参照して、本発明によるシステムの実施形態を説明する。ボックス１１は、タッチスクリーン１２を有し、タッチスクリーン１２は、“疾病実体による選択”、“隔離の種類による選択”、“個別音声の警告による選択”の３つの選択モードを有する初期画面を表示する。ボックス１１は、タッチスクリーン１２と同様に、プロセッサおよびメモリと、音声シミュレーションを生成することができる音声発生装置と、スピーカ１３とを含む。ボックスは、動作検出器または近接検出器１５も含む。動作検出器または近接検出器は、例えば、設定モードにおいてタッチスクリーンを用いて感度や他の要因に関して調整され得る。動作検出器は、例えば部屋の前を通る人などの無関係の事象と、実際に病室に入る人とを区別することの可能なスマート検出器とすることができる。
【００１５】
図２は、初期画面上で“隔離の種類による選択”が選択された場合の装置の表示内容を示す図である。
【００１６】
図３は、初期画面上で“疾病実体による選択”がタッチされた場合の装置の表示内容を示す図である。装置の一実施形態における音声警告セットの例では、“手を洗う”、“ガウンを着用する”、“手袋を着用する”、“マスクを着用する”、“ガウンを処分する”、“手の殺菌剤を使用する”、“防護服を脱いだ後に石鹸と水で手を洗う”などの音声警告、またはこれらの組み合わせが含まれている。
【００１７】
図４は、初期画面上で“個別音声の警告による選択”がタッチされた場合の装置の表示内容を示す図である。
【００１８】
表１には、本発明の特定の他の実施形態において、事前にプログラムされ得る音声警告のより包括的なリストを示している。
【００１９】
【表１】
2013541782.tif 000003
【００２０】
特定の病状が看護師や他の専門スタッフによって選択され、動作検出器が部屋に入室する人を検出した場合に、装置によって自動的に構成された模擬音声警告告知のセットの例が、表２に挙げられる。
【表２】
2013541782.tif 000004
【００２１】
Ｃ．ｄｉｆｆなどの病状を選択した場合、システムが自動的に適切な音声警告の選択を決定するが、プライバシーの問題により、例えばＣ．ｄｉｆｆなどの病気や病状の告知や、表示をしなくてもよい。
【００２２】
いくつかの実施形態では、例えば看護師のような認定ユーザが隔離タイプを選択するオプションを有する場合には、入室する人を検出したときに、その隔離のタイプに対応した、プログラムされた音声警告がデバイスにより発生する。表３は、隔離のタイプに対応可能な音声警告のいくつかの例を示している。
【表３】
2013541782.tif 000005
【００２３】
本発明の装置は、自己完結型であり得るし、あるいは別のデバイスまたはシステムの一部とすることができる。プログラミングは、食器洗い機、洗濯機、または乾燥機のオプションのメニューから選択するのと同じように看護師が警告を選択することで実行することができ、看護師のコンソールで、または何部屋も監視している病院管理者により遠隔的に実行することができる。プログラミングを構成する命令セットは、Ｃ＋＋、または様々なプログラミング言語のいずれかであってよく、通常プロセッサ内にプログラムされる。模擬音声メッセージは、人間によって記録することができ、または単語や音の辞書から合成することができる。
【００２４】
音声警告が迷惑になる場合、一度にまたは必要に応じて音声警告を抑制するために、看護師や他の常連の（教養のある）面会者によって手作業での上書きが行えるようにしてもよい。
【００２５】
いくつかの実施形態では、装置は、ドア枠、ドア、病室の入口の壁または当該入口の付近に一時的に配置することができる。装置は、ドア枠、ドア若しくは壁、あるいはドア枠、ドア若しくは壁の内部に永久的に配置することができる。ほとんどの実施形態では、この装置は、病室への面接者の接近を検出する動作検出器１５を含む。動作検出器は、例えば１５度等の視野の狭い視野を有し、１０〜１５フィートで人を検出するような受動型赤外線（ＰＩＲ）型、レーザー、赤外線ビームセンサー、又は特殊なタイプとなるように集束されていることが好ましい。この装置は、人が通り過ぎたとしても、部屋に入っていない場合には、動作検出器がアラームを発生しないように構成されてもよいし、配置されてもよい。また、この装置は、動作検出手段によって検出された人が警告の不要又は望まない患者又は看護師であるか否かを判断するハードウェアおよびソフトウェアを含んでもよい。装置の動作検出機能は、人々が部屋を通り過ぎる場合ではなく、入室する場合にアラームが機能するように、より高いまたはより低い感度が選択できるように調整可能である。
【００２６】
装置は、１つ以上の言語の選択が許容されるようにプログラムされている。例えば、ある機関では、英語とスペイン語の両方で告知される一言語以上を選択することができ、他の機関では、英語とフランス語、またはその他の言語を選択することができる。
【００２７】
いくつかの実施形態では、この装置は、パスワードを請求し、作動完了を提示するタッチパッドとプログラミングとを含み得る。
【００２８】
この装置は、面会者が入室したことを検出した場合に、“接触隔離中、看護師に相談しなさい”などのメッセージが光るような光の点滅や点滅標識などの視覚的な警告をも含んでもよい。
【００２９】
装置は、タッチパッド上で“音声警告メッセージの選択”、“病気や病状を選択”及び“隔離タイプを選択“の各モードをタッチパッド上で切り替える選択オプションを含んでもよい。
【００３０】
本発明のシステムおよび方法は、病室に入る者と患者とを守るために、取られるべき予防策を示す標識を掲示する従来技術において、上記標識が気づかれないといった、特別な予防策を必要とする病気を持つ患者のいる病院および他の機関における重大な問題を解決するためによく適応するものである。
【００３１】
本発明は、疾患の選択が入室者には告知されず、これにより、プライバシー要件を遵守するものである。本発明では、取るべき予防策の音声告知が、疾患、病状若しくは隔離タイプから計算され、上記音声告知が、システムが病室に入室する人を検出したときに自動的になされる。本発明は、認定された人間による疾患、病状、又は隔離のタイプの選択を許容する、簡単かつ迅速にプログラム可能なシステムを提供する。
【００３２】
本発明は、実施形態に関連して記載されたが、関連する技術分野において通常の知識を有するものに想起される、かなりの修正、改変を行うことが可能である。従って、本発明は、その様な修正と改変を含めた従来技術からの視点において、添付の請求項をできる限り広い範囲に解釈されることを意図している。
【図１】
2013541782.tif 000006
【図２】
2013541782.tif 000007
【図３】
2013541782.tif 000008
【図４】
2013541782.tif 000009
【国際調査報告】
2013541782.tif 000010
2013541782.tif 000011